【手続補正書】
【提出日】令和3年3月3日(2021.3.3)
【手続補正１】
【補正対象書類名】特許請求の範囲
【補正対象項目名】全文
【補正方法】変更
【補正の内容】
【特許請求の範囲】
【請求項１】
創傷に陰圧を加える装置であって、
患者の創傷上に配置されるように構成された創傷被覆材と、
前記創傷被覆材上または前記創傷被覆材内に配置された陰圧源であって、流体流路を介して陰圧を前記創傷被覆材に提供するように構成された、陰圧源と、
前記創傷被覆材上または前記創傷被覆材内に配置されたスイッチであって、第一のユーザ入力を受信するように構成される、スイッチと、
前記創傷被覆材上または前記創傷被覆材内に配置されたインタフェース要素であって、第二のユーザ入力を受信するように構成される、インタフェース要素と、
前記スイッチおよび前記インタフェース要素に電気的に連結された制御回路であって、前記制御回路が、
第一のモードにあるとき、
前記陰圧源が陰圧を供給していない間に、前記第一のユーザ入力の受信に応答して前記陰圧源で陰圧を供給し、
前記陰圧源が陰圧を供給している間に、前記第一のユーザ入力の受信に応答して前記陰圧源で陰圧を供給することを防止し、
前記第二のユーザ入力の受信に応答して、前記第一のモードから前記第一のモードとは異なる第二のモードに変更し、
前記第二のモードにあるとき、前記陰圧源での陰圧の供給を無効にするように構成される、制御回路と、を備える、装置。
【請求項２】
前記スイッチがフォルトを経験し、前記第一のユーザ入力を受信することができなくなった時、前記制御回路が、前記第二のユーザ入力以外のユーザ入力の受信をしないことに応答して、前記陰圧源での陰圧の供給を防止または無効化するようにさらに構成される、請求項１に記載の装置。
【請求項３】
前記制御回路が、前記第一のユーザ入力以外のユーザ入力の受信をしないことに応答して、前記陰圧源で陰圧を供給するようにさらに構成される、請求項１に記載の装置。
【請求項４】
前記陰圧源が陰圧を供給している間、前記制御回路が、前記第一のユーザ入力および前記第二のユーザ入力以外のユーザ入力の受信をしないことに応答して、前記陰圧源での陰圧の供給を防止または無効化するようにさらに構成される、請求項１に記載の装置。
【請求項５】
前記制御回路が前記第二のモードにあるとき、前記制御回路が、前記第二のユーザ入力の受信に応答して、
第二のモードから第一のモードへ変更し、
前記陰圧源で陰圧を供給するようにさらに構成される、請求項１に記載の装置。
【請求項６】
前記制御回路が、前記陰圧源または前記制御回路の動作の停止、前記流体流路内に位置付けられたベントの開放、または前記流体流路内に位置付けられた弁の閉鎖によって、前記陰圧源での陰圧の供給を無効化するように構成される、請求項１に記載の装置。
【請求項７】
前記制御回路が、（ｉ）前記陰圧源または前記制御回路への電力の切断、または（ｉｉ）前記陰圧源または前記制御回路に提供されるイネーブル信号の取消によって、前記陰圧源または前記制御回路の動作を停止するように構成される、請求項６に記載の装置。
【請求項８】
前記制御回路が、前記陰圧源の動作の停止、前記流体流路内に位置付けられたベントの開放、または前記流体流路内に位置付けられた弁の閉鎖によって、前記陰圧源での陰圧の供給を防止するように構成される、請求項１に記載の装置。
【請求項９】
前記インタフェース要素が、前記創傷被覆材に結合されたフィルム内に成形される、請求項１に記載の装置。
【請求項１０】
前記インタフェース要素が、前記第二のユーザ入力を受信するように構成された電気接点を備える、請求項１に記載の装置。
【請求項１１】
前記スイッチが、一定期間の間、前記スイッチの押下げに応答して前記第一のユーザ入力を受信するように構成される、請求項１に記載の装置。
【請求項１２】
前記期間が０．５秒〜５秒である、請求項１１に記載の装置。
【手続補正２】
【補正対象書類名】明細書
【補正対象項目名】００６３
【補正方法】変更
【補正の内容】
【００６３】
本開示の範囲は、本節におけるまたは本明細書の他の箇所における好ましい実施形態の
特定の開示によって制限されることを意図するものではなく、本節においてまたは本明細書の他の箇所において提示されているか、またはこの後に提示される特許請求の範囲によって定義されうる。本特許請求の範囲の言い回しは、本特許請求の範囲で用いられている言い回しに基づいて広い意味で解釈されるべきであり、本明細書で説明されている例または本出願の手続きの間に説明される例に限定されるものではなく、それらの例は非排他的なものとして解釈されるべきである。
［付記項１］
創傷に陰圧を加える装置であって、
患者の創傷上に配置されるように構成された創傷被覆材と、
前記創傷被覆材上または前記創傷被覆材内に配置された陰圧源であって、流体流路を介して陰圧を前記創傷被覆材に提供するように構成された、陰圧源と、
前記創傷被覆材上または前記創傷被覆材内に配置されたスイッチであって、第一のユーザ入力を受信するように構成される、スイッチと、
前記創傷被覆材上または前記創傷被覆材内に配置されたインタフェース要素であって、第二のユーザ入力を受信するように構成される、インタフェース要素と、
前記スイッチおよび前記インタフェース要素に電気的に連結された制御回路であって、前記制御回路が、
第一のモードにあるとき、
前記陰圧源が陰圧を供給していない間に、前記第一のユーザ入力の受信に応答して前記陰圧源で陰圧を供給し、
前記陰圧源が陰圧を供給している間に、前記第一のユーザ入力の受信に応答して前記陰圧源で陰圧を供給することを防止し、
前記第二のユーザ入力の受信に応答して、前記第一のモードから前記第一のモードとは異なる第二のモードに変更し、
前記第二のモードにあるとき、前記陰圧源での陰圧の供給を無効にするように構成される、制御回路と、を備える、装置。
［付記項２］
前記スイッチがフォルトを経験し、前記第一のユーザ入力を受信することができなくなった時、前記制御回路が、前記第二のユーザ入力以外のユーザ入力の受信をしないことに応答して、前記陰圧源での陰圧の供給を防止または無効化するようにさらに構成される、付記項１に記載の装置。
［付記項３］
前記制御回路が、前記第一のユーザ入力以外のユーザ入力の受信をしないことに応答して、前記陰圧源で陰圧を供給するようにさらに構成される、付記項１に記載の装置。
［付記項４］
前記陰圧源が陰圧を供給している間、前記制御回路が、前記第一のユーザ入力および前記第二のユーザ入力以外のユーザ入力の受信をしないことに応答して、前記陰圧源での陰圧の供給を防止または無効化するようにさらに構成される、付記項１に記載の装置。
［付記項５］
前記制御回路が前記第二のモードにあるとき、前記制御回路が、前記第二のユーザ入力の受信に応答して、
第二のモードから第一のモードへ変更し、
前記陰圧源で陰圧を供給するようにさらに構成される、付記項１に記載の装置。
［付記項６］
前記制御回路が、前記陰圧源または前記制御回路の動作の停止、前記流体流路内に位置付けられたベントの開放、または前記流体流路内に位置付けられた弁の閉鎖によって、前記陰圧源での陰圧の供給を無効化するように構成される、付記項１に記載の装置。
［付記項７］
前記制御回路が、（ｉ）前記陰圧源または前記制御回路への電力の切断、または（ｉｉ）前記陰圧源または前記制御回路に提供されるイネーブル信号の取消によって、前記陰圧源または前記制御回路の動作を停止するように構成される、付記項６に記載の装置。
［付記項８］
前記制御回路が、前記陰圧源の動作の停止、前記流体流路内に位置付けられたベントの開放、または前記流体流路内に位置付けられた弁の閉鎖によって、前記陰圧源での陰圧の供給を防止するように構成される、付記項１に記載の装置。
［付記項９］
前記インタフェース要素が、前記創傷被覆材に結合されたフィルム内に成形される、付記項１に記載の装置。
［付記項１０］
前記インタフェース要素が、前記第二のユーザ入力を受信するように構成された電気接点を備える、付記項１に記載の装置。
［付記項１１］
前記スイッチが、一定期間の間、前記スイッチの押下げに応答して前記第一のユーザ入力を受信するように構成される、付記項１に記載の装置。
［付記項１２］
前記期間が０．５秒〜５秒である、付記項１１に記載の装置。
［付記項１３］
創傷被覆材、前記創傷被覆材上または前記創傷被覆材内に配置された陰圧源、前記創傷被覆材上または前記創傷被覆材内に配置されたスイッチ、および前記創傷被覆材上または前記創傷被覆材内に配置されたインタフェース要素を備え、前記スイッチが第一のユーザ入力を受信するように構成され、前記インタフェース要素が第二のユーザ入力を受信するように構成される、陰圧療法装置を動作される方法であって、
前記陰圧源が前記創傷被覆材に陰圧を供給していない間に、前記第一のユーザ入力の受信に応答して、流体流路を介して前記創傷被覆材に前記陰圧源で陰圧を供給することと、
前記陰圧源が前記創傷被覆材に陰圧を供給している間、前記第一のユーザ入力の受信に応答して、前記流体流路を介して前記創傷被覆材に前記陰圧源で陰圧を供給することを防止することと、
前記第二のユーザ入力の受信に応答して、前記創傷被覆材に前記陰圧源で陰圧源を供給することを無効化することと、
前記陰圧の供給の無効化の後に、前記第一のユーザ入力の受信に応答して、前記流体流路を介して前記創傷被覆材に前記陰圧源で陰圧を供給しないことと、を含む、方法。
［付記項１４］
前記スイッチがフォルトを経験し、前記第一のユーザ入力を受信できなくなることに続いて、前記第二のユーザ入力以外のユーザ入力の受信をしないことに応答して、前記陰圧源での陰圧の供給を防止または無効化することをさらに含む、付記項１３に記載の方法。
［付記項１５］
前記第一のユーザ入力以外のユーザ入力の受信をしないことに応答して、前記陰圧源で陰圧を供給することをさらに含む、付記項１３に記載の方法。
［付記項１６］
前記陰圧源が陰圧を供給している間、前記第一のユーザ入力および前記第二のユーザ入力以外のユーザ入力の受信をしないことに応答して、前記陰圧源での陰圧の供給を防止または無効化することをさらに含む、付記項１３に記載の方法。
［付記項１７］
前記陰圧の供給の無効化が、前記陰圧源または前記制御回路の動作の停止、前記流体流路内に位置付けられたベントの開放、または前記流体流路内に位置付けられた弁の閉鎖を含む、付記項１３に記載の方法。
［付記項１８］
前記インタフェース要素の電気接点を介して前記第二のユーザ入力を受信することをさらに含む、付記項１３に記載の方法。
［付記項１９］
一定期間の間、前記スイッチの押下げに応答して前記第一のユーザ入力を受信することをさらに含む、付記項１３に記載の方法。
［付記項２０］
前記期間が０．５秒〜５秒である、付記項１９に記載の方法。